(57)【要約】【課題】画像を画質も含めて再現できる情報を、処理に要する時間を抑えて保管できる画像送信装置、画像処理装置、画像処理システム、画像送信プログラムを提供する。【解決手段】モバイルプリンタ２００に画像を送信する赤外線通信部１３５と、赤外線通信部１３５によって送信される画像のうちから操作に応じて画像を選択する画像選択部１３７と、画像選択部１３７で選択された画像にモバイルプリンタ２００で施された画像処理の処理内容をモバイルプリンタ２００から取得する処理内容取得部１３８と、画像選択部１３７で選択された画像と、その画像について処理内容取得部１３８で取得された処理内容とを対応付けてサーバ３００に格納する画像記録部１３９とを備えた。【選択図】        図６
2006014289.tif 000002
【特許請求の範囲】
【請求項１】
画像に画像処理を、処理内容を決定して施す画像処理装置に対し、画像を送信する送信部と、
前記送信部によって送信される画像のうちから操作に応じて画像を選択する画像選択部と、
前記画像選択部で選択された画像に前記画像処理装置で施された画像処理の、該画像処理装置で決定された処理内容を該画像処理装置から取得する処理内容取得部と、
前記画像選択部で選択された画像と、該画像について前記処理内容取得部で取得された処理内容とを対応付けて所定の記録場所に格納する画像記録部とを備えたことを特徴とする画像送信装置。
【請求項２】
所定の記録媒体にアクセスする媒体アクセス部を備え、
前記画像記録部が、前記記録場所として、前記媒体アクセス部によってアクセスされる記録媒体を用いるものであることを特徴する請求項１記載の画像送信装置。
【請求項３】
前記画像記録部が、前記記録場所として、通信網を介してアクセスされる記録場所を用いるものであることを特徴する請求項１記載の画像送信装置。
【請求項４】
被写体を撮影して該被写体の画像を得る撮影部を備え、
前記送信部が、前記撮影部によって得られた画像を前記画像処理装置に送信するものであることを特徴する請求項１記載の画像送信装置。
【請求項５】
前記画像記録部が、前記処理内容を、該処理内容に対応する画像のファイルとは別のファイルとして前記記録場所に格納するものであることを特徴する請求項１記載の画像送信装置。
【請求項６】
前記画像記録部が、前記画像選択部で選択された複数の画像について、該複数の画像それぞれの処理内容を、該複数の画像それぞれのファイルとは別の１つの共通ファイルとして前記記録場所に格納するものであることを特徴する請求項１記載の画像送信装置。
【請求項７】
画像を送信する画像送信装置から画像を受信する受信部と、
前記受信部で受信された画像に施す画像処理の処理内容を決定する処理内容決定部と、
前記処理内容決定部によって決定された処理内容の画像処理を、前記受信部で受信された画像に施す画像処理部と、
前記受信部によって受信された画像のうちから操作に応じて画像を選択する画像選択部と、
前記画像選択部で選択された画像について前記処理内容決定部で決定された処理内容を前記画像送信装置に送信し、該画像送信装置に該画像と該処理内容との記録を指示する記録指示部とを備えたことを特徴とする画像処理装置。
【請求項８】
前記画像処理部によって画像処理が施された画像を所定の用紙上に出力するプリント部を備えたものであることを特徴とする請求項７記載の画像処理装置。
【請求項９】
画像を送信する画像送信装置と、
前記画像送信装置から画像を受信し、その画像に画像処理を、処理内容を決定して施す画像処理装置と、
操作に応じて画像を選択する画像選択部とを備え、
前記画像選択部によって画像が選択された場合に、その画像について前記画像処理装置で施された画像処理の、該画像処理装置で決定された処理内容を前記画像送信装置に転送し、該画像送信装置によって該画像と該処理内容とを対応付けて所定の記録場所に格納することを特徴とする画像処理システム。
【請求項１０】
前記画像選択部が、前記画像送信装置に備えられた、該画像送信装置によって送信される画像のうちから操作に応じて画像を選択するものであることを特徴とする請求項９記載の画像処理システム。
【請求項１１】
前記画像選択部が、前記画像処理装置に備えられた、前記画像送信装置から送られてきた画像のうちから操作に応じて画像を選択するものであることを特徴とする請求項９記載の画像処理システム。
【請求項１２】
画像を送信する送信機能を有したコンピュータで実行され、該コンピュータ上で、
画像に画像処理を、処理内容を決定して施す画像処理装置に対し、画像を送信する送信部と、
前記送信部によって送信される画像のうちから操作に応じて画像を選択する画像選択部と、
前記画像選択部で選択された画像に前記画像処理装置で施された画像処理の、該画像処理装置で決定された処理内容を該画像処理装置から取得する処理内容取得部と、
前記画像選択部で選択された画像と、該画像について前記処理内容取得部で取得された処理内容とを対応付けて所定の記録場所に格納する画像記録部とを構築することを特徴とする画像送信プログラム。
【発明の詳細な説明】
【技術分野】
【０００１】
本発明は、画像を送信する画像送信装置と、その画像送信装置から送られてきた画像に画像処理を施す画像処理装置と、画像に画像処理を施す画像処理システムと、画像を送信する送信機能を有するコンピュータを上記画像送信装置として動作させる画像送信プログラムとに関する。
【背景技術】
【０００２】
近年、携帯電話の多機能化が進む中、撮影によって画像を得る撮影機能が搭載された携帯電話が広く普及している（例えば、特許文献１参照。）。
【０００３】
また、このような撮影機能付の携帯電話の普及を受けて、このような携帯電話で得られ、さらにその携帯電話から送信された画像を受信して、その画像をプリントするプリンタも市場に登場するようになってきている。
【特許文献１】特開２００３−３１９０３４号公報（段落番号００１８−段落番号００３１、図２）
【発明の開示】
【発明が解決しようとする課題】
【０００４】
このようなプリンタには、受信した画像の画質を、人が一般的に好ましいと感じる画質に補正する画像処理を実行する機能が備えられていることが多い。このような場合、プリントされてユーザの目に触れる写真と、携帯電話で得た画像とでは画質が互いに異なっている。このため、プリントされた写真を気に入ったユーザが、その写真に対応する画像の保管を希望した場合には、ユーザの目に触れる写真を画質も含めて再現できる情報として、上記の画像処理が施された画像が所定の格納先に格納されることが望ましい。
【０００５】
ところで、近年では、写真店等といった業者において、デジタルカメラや撮影機能付の携帯電話等といった撮影装置で得られた画像を画像格納用のサーバに格納するというサービスが受け付けられているので、上記の画像処理済の画像の格納先として、このような画像格納用のサーバを利用することが考えられる。プリンタからこのようなサーバへの画像の転送は、携帯電話が有しているデータ通信機能を利用して行なうことができる。
【０００６】
しかし、このような場合には、プリント時に行なわれる携帯電話からプリンタへの画像の転送に加えて、プリント後にも、プリンタから携帯電話へ、さらに携帯電話からサーバへという２度に亘る画像の転送が必要となる。このような画像の転送には多くの転送時間を要するため、上記のような都合３度に亘る画像の転送を含む写真のプリント処理は長時間に亘ることとなり、ユーザに苦痛を与えてしまうという問題がある。
【０００７】
尚、上記の説明では撮影機能付の携帯電話とプリンタとの間において、画像を画質も含めて保管するときの問題について説明したが、このような問題は、画像を送信する画像送信装置一般と、そのような画像送信装置から送られてきた画像に画像処理を施す画像処理装置一般との間において、画像を画質も含めて保管する場合に共通に生じる問題である。
【０００８】
本発明は、上記事情に鑑み、画像処理が施された画像を画質も含めて再現できる情報を、処理に要する時間を抑えて保管できる画像送信装置、画像処理装置、画像処理システム、および画像を送信する送信機能を有するコンピュータを上記の画像送信装置として動作させる画像送信プログラムを提供することを目的とするものである。
【課題を解決するための手段】
【０００９】
上記目的を達成する本発明の画像送信装置は、画像に画像処理を、処理内容を決定して施す画像処理装置に対し、画像を送信する送信部と、
上記送信部によって送信される画像のうちから操作に応じて画像を選択する画像選択部と、
上記画像選択部で選択された画像に上記画像処理装置で施された画像処理の、その画像処理装置で決定された処理内容をその画像処理装置から取得する処理内容取得部と、
上記画像選択部で選択された画像と、その画像について上記処理内容取得部で取得された処理内容とを対応付けて所定の記録場所に格納する画像記録部とを備えたことを特徴とする。
【００１０】
最終的に画像の画質が決定されるのは、上記画像処理装置における画像処理のときであるため、その画像の画質を再現するための情報は画像処理装置内にある。従って、画像を画質も含めて再現できる情報を保管するためには、まず、画質を再現するための情報を、画像処理装置から取得する必要がある。この画質を直接に再現する情報は画像処理が施された画像そのものであるが、本発明の画像送信装置によれば、画質を再現できる情報として、画像処理が施された画像そのものの代わりに、この画像に比べてはるかに少ない量のデータで表わされる、上記画像処理装置で実行される画像処理の処理内容が、画像そのものを取得するよりもはるかに短時間で画像処理装置から取得される。そして、この画像処理の処理内容と、上記画像選択部で選択された、画像処理装置で画像処理が施される前の未処理画像とが互いに対応付けられて上記の記録場所に保管される。後日、画像を画質も含めて再現する際には、上記の未処理画像に対して、その未処理画像に対応して保管された処理内容の画像処理を施すことによって、画像が画質も含めて再現される。このように、本発明の画像送信装置によれば、画像を画質も含めて再現できる情報を、処理に要する時間を抑えて保管することができる。
【００１１】
ここで、本発明の画像送信装置において、「所定の記録媒体にアクセスする媒体アクセス部を備え、
上記画像記録部が、上記記録場所として、上記媒体アクセス部によってアクセスされる記録媒体を用いるものである」という形態は好ましい形態である。
【００１２】
この好ましい形態の画像送信装置によれば、画像の転送処理は、画像処理の際に上記画像処理装置に１回実行されるだけでよいので、上記の処理済画像を画質も含めて再現する情報を、処理に要する時間をさらに抑えて保管することができる。
【００１３】
また、本発明の画像送信装置において、上記画像記録部が、上記記録場所として、通信網を介してアクセスされる記録場所を用いるものであるという形態も好ましい形態である。
【００１４】
この好ましい形態の画像送信装置によれば、例えば、上記通信網を介して、記憶容量の大きなサーバ等といった記録場所に上記処理内容と画像とを大量に保管する等といった運用が可能となる。
【００１５】
また、本発明の画像送信装置において、「被写体を撮影してその被写体の画像を得る撮影部を備え、
上記送信部が、上記撮影部によって得られた画像を上記画像処理装置に送信するものである」という形態も好ましい。
【００１６】
この好ましい形態の画像送信装置によれば、例えば、撮影によって画像を得て、さらにその画像に対して上記画像処理装置に適切な画像処理を実行させた後、その画像処理済みの画像を画質も含めて再現する情報を、処理に要する時間を抑えて保管できる、撮影機能付の携帯電話等といった装置を容易に実現することができる。
【００１７】
また、本発明の画像送信装置において、「上記画像記録部が、上記処理内容を、その処理内容に対応する画像のファイルとは別のファイルとして上記記録場所に格納するものである」という形態も好ましい。
【００１８】
この好ましい形態の画像送信装置によれば、上記処理内容を、データサイズが大きくなりがちな画像のファイルとは別のファイルとして格納することができる。これにより、データサイズの大きなデータを書き換えることによる大きな電力消費を回避することができる。
【００１９】
また、本発明の画像送信装置において、「上記画像記録部が、上記画像選択部で選択された複数の画像について、その複数の画像それぞれの処理内容を、その複数の画像それぞれのファイルとは別の１つの共通ファイルとして上記記録場所に格納するものである」という形態も好ましい。
【００２０】
この好ましい形態の画像送信装置によれば、複数の処理内容が、データサイズが大きくなりがちな画像のファイルとは別の、上記の１つの共通ファイルとして格納される。これにより、上記処理内容が複数あったとしても、それら複数の処理内容の全てをデータサイズが抑えられた状態で格納することができる。
【００２１】
また、上記目的を達成する本発明の画像処理装置は、画像を送信する画像送信装置から画像を受信する受信部と、
上記受信部で受信された画像に施す画像処理の処理内容を決定する処理内容決定部と、
上記処理内容決定部によって決定された処理内容の画像処理を、上記受信部で受信された画像に施す画像処理部と、
上記受信部によって受信された画像のうちから操作に応じて画像を選択する画像選択部と、
上記画像選択部で選択された画像について上記処理内容決定部で決定された処理内容を上記画像送信装置に送信し、その画像送信装置にその画像とその処理内容との記録を指示する記録指示部とを備えたことを特徴とする。
【００２２】
本発明の画像処理装置によれば、上記画像送信装置は、画像の画質を再現する情報として、画像処理が施された画像そのものに比べてはるかにデータ量が少ない、画像処理の処理内容を、そのような画像に比べてはるかに短時間で本発明の画像処理装置から取得して保管することができる。つまり、本発明の画像処理装置によれば、上記画像送信装置に画像を画質も含めて再現できる情報を、処理に要する時間を抑えて記録させることができる。
【００２３】
ここで、本発明の画像処理装置において、上記画像処理部によって画像処理が施された画像を所定の用紙上に出力するプリント部を備えたものであるという形態は好ましい形態である。
【００２４】
この好ましい形態の画像処理装置によれば、例えば、画像を所定の用紙上に出力するとともに、その画像を画質も含めて再現できる情報を、処理に要する時間を抑えて上記画像送信装置に記録させることができるプリンタ等といった装置を容易に実現することができる。
【００２５】
また、上記目的を達成する本発明の画像処理システムは、画像を送信する画像送信装置と、
上記画像送信装置から画像を受信し、その画像に画像処理を、処理内容を決定して施す画像処理装置と、
操作に応じて画像を選択する画像選択部とを備え、
上記画像選択部によって画像が選択された場合に、その画像について上記画像処理装置で施された画像処理の、その画像処理装置で決定された処理内容を上記画像送信装置に転送し、その画像送信装置によってその画像とその処理内容とを対応付けて所定の記録場所に格納することを特徴とする。
【００２６】
本発明の画像処理システムによれば、上記画像処理装置で画像処理が施された画像を画質も含めて再現できる情報を、処理に要する時間を抑えて上記送信装置によって保管することができる。
【００２７】
また、本発明の画像処理システムは、
「上記画像選択部が、上記画像送信装置に備えられた、その画像送信装置によって送信される画像のうちから操作に応じて画像を選択するものである」という形態であってもよく、あるいは、
「上記画像選択部が、上記画像処理装置に備えられた、上記画像送信装置から送られてきた画像のうちから操作に応じて画像を選択するものである」という形態であってもよい。
【００２８】
これらの形態の画像処理システムによれば、ユーザは、上記画像送信装置に備えられた画像選択部あるいは、上記画像処理装置に備えられた画像選択部を操作することによって、気に入った画像を容易に選択することができる。
【００２９】
なお、本発明にいう画像処理システムについては、ここではその基本形態およびこの画像処理システムに特有の２つの形態を示すのにとどめるが、これは単に重複を避けるためであり、本発明にいう画像処理システムには、これらの形態のみではなく、前述した画像送信装置の各形態に対応する各種の形態や、前述した画像処理装置の各形態に対応する各種の形態が含まれる。
【００３０】
また、上記目的を達成する本発明の画像送信プログラムは、画像を送信する送信機能を有したコンピュータで実行され、そのコンピュータ上で、
画像に画像処理を、処理内容を決定して施す画像処理装置に対し、画像を送信する送信部と、
上記送信部によって送信される画像のうちから操作に応じて画像を選択する画像選択部と、
上記画像選択部で選択された画像に上記画像処理装置で施された画像処理の、その画像処理装置で決定された処理内容をその画像処理装置から取得する処理内容取得部と、
上記画像選択部で選択された画像と、その画像について上記処理内容取得部で取得された処理内容とを対応付けて所定の記録場所に格納する画像記録部とを構築することを特徴とする。
【００３１】
本発明の画像送信プログラムによれば、画像を画質も含めて再現できる情報を、処理に要する時間を抑えて保管することができる画像送信装置を容易に実現することができる。
【００３２】
なお、本発明にいう画像送信プログラムについては、ここではその基本形態を示すのにとどめるが、これは単に重複を避けるためであり、本発明にいう画像送信プログラムには、これらの形態のみではなく、前述した画像送信装置の各形態に対応する各種の形態が含まれる。
【発明の効果】
【００３３】
以上、説明したように、本発明によれば、画像を画質も含めて再現できる情報を、処理に要する時間を抑えて保管できる画像送信装置、画像処理装置、画像処理システム、および画像を送信する送信機能を有するコンピュータを上記の画像送信装置として動作させる画像送信プログラムを提供することができる。
【発明を実施するための最良の形態】
【００３４】
以下図面を参照して本発明の実施の形態を説明する。
【００３５】
まず、本発明の画像送信装置の第１実施形態である携帯電話、この携帯電話から送信されてきた画像データに基づいて画像をプリントするモバイルプリンタ、およびこれらの携帯電話とモバイルプリンタとからなる、本発明の画像処理システムの第１実施形態である第１の画像処理システムそれぞれの外観について、図１〜図５を参照して説明する。
【００３６】
図１および図２は、本発明の画像送信装置の第１実施形態である携帯電話の、それぞれ表面および裏面を示す斜視図である。
【００３７】
この携帯電話１００は、上部１１０と下部１２０とからなり、折り畳み式となっている。
【００３８】
この携帯電話１００の上部１１０には、表示画面１１１、音声再生口１１２、アンテナ１１３、裏面に配備されたカメラ用撮影レンズ１１４、および赤外線通信用に裏面に配備された赤外線送受部１１５が備えられており、下部１２０には操作キー１２１や音声入力口１２２が備えられている。
【００３９】
この携帯電話１００は、ユーザの操作を受けて、カメラ用撮影レンズ１１４を有する後述の撮影部によって被写体を撮影し、Ｒ（Ｒｅｄ），Ｇ（Ｇｒｅｅｎ），Ｂ（Ｂｌｕｅ）３色でカラー画像を表わす画像データを生成することができる。さらに、この携帯電話１００は、ユーザの操作を受けて、その画像データを後述のモバイルプリンタに赤外線送受部１１５から赤外線通信によって送信することもできる。
【００４０】
また、この携帯電話１００では、モバイルプリンタでプリントされた画像を見たユーザが、その画像を気に入った場合に、そのユーザからの操作を受けて、その画像の画質を再現するための後述の画質再現情報をモバイルプリンタから取得することも行なわれる。この画質再現情報の取得は、まず上記の赤外線送受部１１５から画質再現情報の送信を指示する指示信号が赤外線通信によって送信され、次に、その指示信号に応じてモバイルプリンタから赤外線通信によって送信されてくる画質再現情報を上記の赤外線送受部１１５で受信することによって行なわれる。
【００４１】
さらに、この携帯電話１００では、上記の赤外線送受部１１５で受信して得られた、画質再現情報と、その画質再現情報に対応する、携帯電話１００がモバイルプリンタに送信した画像データとが互いに対応付けられて、画像を画質も含めて再現する画像再現データが作成されて所定のサーバに送信される。画像再現データのサーバへの送信は、この携帯電話１００が有している、一般に普及している携帯電話が通常有しているデータ送信機能と同等な機能によって行なわれる。
【００４２】
次に、上記の携帯電話１００を含む第１の画像処理システムの外観について説明する。
【００４３】
図３は、第１の画像処理システムを示す斜視図である。
【００４４】
この図３には、図１および図２にも示す携帯電話１００と、この携帯電話１００から送信されてきた画像データに基づいて画像をプリントするモバイルプリンタ２００とからなる第１の画像処理システム１０００が示されている。ここで、モバイルプリンタ２００は、本発明の画像処理システムにおける画像処理装置の一例に相当し、第１の画像処理システム１０００は、本発明にいう「画像選択部が、画像送信装置に備えられた」画像処理システムの一例に相当する。
【００４５】
モバイルプリンタ２００は、携帯電話１００から赤外線通信によって送信されてきた画像データに基づいて、その画像データが表わす画像をインスタントフィルムシート上にプリントするものである。また、ユーザが、１度プリントした画像の再プリントを所望した時には、このモバイルプリンタ２００は、その画像を表わす画像データを携帯電話１００からわざわざ再送信してもらわなくても、ユーザから後述のような簡単な操作を受けることによって再プリントを行なうことができる。
【００４６】
このモバイルプリンタ２００は小型で軽量な装置であり、図３に示すように、ユーザはこのモバイルプリンタ２００と携帯電話１００との双方を手に持って画像のプリントを行なうことができる。このモバイルプリンタ２００の筐体２００ａ内にインスタントフィルムシートのパックが装填され、プリントの際にはこのパックからインスタントフィルムシートが一枚ずつ取り出されて画像がプリントされる。
【００４７】
モバイルプリンタ２００の筐体２００ａの上面には、このモバイルプリンタ２００の電源の投入および遮断を指示する電源スイッチ２０１と、上記の再プリントを指示する再プリントスイッチ２０２と、上記のパック内のインスタントフィルムシートの残数等といった情報が表示されるＬＣＤパネル２０３が設けられている。
【００４８】
また、筐体２００ａの端部には、赤外線を送信あるいは受信する赤外線送受部２０４が設けられている。上述したように、携帯電話１００からは、赤外線通信によって、画像データや、上記の画質再現情報の送信を指示する指示信号が送信されてくる。上記の赤外線送受部２０４ではこれらのデータを受信するとともに、携帯電話１００に向けて上記の画質再現情報が送信される。
【００４９】
図４は、モバイルプリンタから、インスタントフィルム上に画像がプリントされながら、そのインスタントフィルムが排出される様子を示す図である。
【００５０】
このモバイルプリンタ２００では、携帯電話１００から赤外線通信によって送信されてきた画像データが赤外線送受部２０４によって受信されると、別図に示す画像処理部においてその画像データに所定の画像処理が施される。この画像処理については後述する。画像処理が終了すると、処理済の画像データに基づいてインスタントフィルム２０５ａ上にプリントが実行されるとともに、そのインスタントフィルム２０５ａが排出される。また、プリントが実行された後に、再プリントスイッチ２０２がユーザによって押されると、直前にプリントされた画像と同じ画像が別のインスタントフィルム２０５ａにプリントされる。
【００５１】
図５は、モバイルプリンタに、複数のインスタントフィルムが収納されたインスタントフィルムパックが装填される様子を示す図である。
【００５２】
このモバイルプリンタ２００の背面には、複数のインスタントフィルム２０５ａが収納されたインスタントフィルムパック２０５を装填するためのフィルム装填室２０７が設けられている。インスタントフィルムパック２０５を装填する際には、フィルム装填室２０７を覆うフィルムドア２０６が開けられて、フィルム装填室２０７にインスタントフィルムパック２０５が装填される。
【００５３】
インスタントフィルムパック２０５には、このインスタントフィルムパック２０５に収納されているインスタントフィルム２０５ａの種類、サイズ、および製造ロット等といった情報が記録されたＩＣタグ２０５ｂが貼付されており、上記のフィルム装填室２０７内には、このＩＣタグ２０５ｂに記録された情報を読み取るためのＩＣタグ読取り部２０８が設けられている。また、このフィルム装填室２０７には、このフィルム装填室２０７内の温度等といった環境を検出するための環境センサ２０９も設けられている。
【００５４】
インスタントフィルム２０５ａにプリントされる画像の画質は、そのインスタントフィルム２０５ａの種類、サイズ、および製造ロットや、プリント時の温度等といった環境等のによって異なる。本実施形態のモバイルプリンタ２００では、ＩＣタグ読取り部２０８で読み取られた各情報や環境センサ２０９の検出結果に基づいて最適な画質が得られるような画像処理が行なわれる。
【００５５】
以上で、携帯電話１００、モバイルプリンタ２００、および第１画像処理システム１０００の外観についての説明を終了する。ここで、携帯電話１００における本発明としての特徴は、モバイルプリンタ２００でプリントされた画像を画質も含めて再現する後述の画像再現データを所定のサーバに保管する選択／保管機能にある。以下では、主に、携帯電話１００やモバイルプリンタ２００からなる第１の画像処理システム１０００のブロック図を参照しながら、この選択／保管機能について説明する。また、以下の説明では、図１〜図５に示す要素を、図番を特に断らずに図中の符号を使って適宜に参照する。
【００５６】
図６は、図３および図４に示す第１の画像処理システムを、画像を画質も含めて再現する画像再現データが保管されるサーバの簡易的な構成とともに示すブロック図である。
【００５７】
上記のように、図６には、携帯電話１００とモバイルプリンタ２００とサーバ３００とが示されている。ここで、サーバ３００は、本発明にいう記録場所の一例に相当する。
【００５８】
まず、モバイルプリンタ２００の内部構成について説明する。
【００５９】
モバイルプリンタ２００は、コントローラ２１１と、赤外線通信部２１２と、画像分析部２１３と、画像処理部２１４と、フラッシュメモリ２１５と、プリント部２１６と、図５にも示したＩＣタグ読取り部２０８および環境センサ２０９を有している。
【００６０】
モバイルプリンタ２００のコントローラ２１１では、以下に説明する各要素の動作制御が実行される。
【００６１】
モバイルプリンタ２００の赤外線通信部２１２は上述の赤外線送受部２０４を備えており、この赤外線通信部２１２では、携帯電話１００から赤外線通信によって送信されてくる画像データや、後述の画質再現情報の送信を指示する指示信号の受信や、その画質再現情報の送信が実行される。
【００６２】
モバイルプリンタ２００の画像分析部２１３では、赤外線通信部２１２で受信された画像データが表わす画像の輝度、ホワイトバランス、および鮮鋭さに関する分析が実行される。
【００６３】
モバイルプリンタ２００のＩＣタグ読取り部２０８では、モバイルプリンタ２００に装填されているインスタントフィルムパック２０５に貼付されたＩＣタグ２０５ｂに記録された、このインスタントフィルムパック２０５内に収納されているインスタントフィルム２０５ａの種類、サイズ、および製造ロット等といった情報が読み取られる。
【００６４】
モバイルプリンタ２００の環境センサ２０９では、モバイルプリンタ２００内の温度等といった環境が検出される。
【００６５】
モバイルプリンタ２００の画像処理部２１４では、赤外線通信部２１２で受信された画像データに次のような画像処理が施される。
【００６６】
まず、この画像処理部２１４では、画像分析部２１３で得られた分析結果に基づいて、画像の輝度、ホワイトバランス、および鮮鋭度を、それぞれ人が一般的に好ましいと感じる輝度、ホワイトバランス、および鮮鋭度に補正する、自動露光補正処理（ＡＥ補正処理）、自動ホワイトバランス補正処理（ＡＷＢ補正処理）、およびシャープネス処理といった画像最適化処理が実行される。そして、この画像最適化処理には、ＩＣタグ読取り部２０８で読み取られた各種情報や、環境センサ２０９の検出結果が用いられ、画像の輝度、ホワイトバランス、および鮮鋭度がそれぞれ最適なものとなるように補正される。
【００６７】
さらに、この画像処理部２１４では、後述するように携帯電話１００への操作によってユーザから指定された、例えばソフトフォーカス等といった観賞上の効果を狙った画像処理も実行される。また、この画像処理について、ユーザから特に指定が無い場合には、上記のＡＥ補正処理、ＡＷＢ補正処理、およびシャープネス処理のみが実行される。
【００６８】
ここで、ＩＣタグ読取り部２０８で得られた情報、環境センサ２０９で得られた検出結果、上記のＡＥ補正処理、ＡＷＢ補正処理、およびシャープネス処理で用いられた各種の補正値、および上記の観賞上の効果を狙った画像処理において用いられた各種の処理パラメータは、フラッシュメモリ２１５に送られる。これらの各種情報が、本実施形態における、画像の画質を再現する画質再現情報であり、本発明にいう「画像処理装置で施された画像処理の、その画像処理装置で決定された処理内容」の一例に相当する。
【００６９】
モバイルプリンタ２００のフラッシュメモリ２１５には、上記の画像最適化処理や、ソフトフォーカス等といった画像処理を実行するための各種処理プログラムが格納されており、処理の際にはフラッシュメモリ２１５からこれらの処理プログラムが読み出されて上記の各種処理が実行される。また、このフラッシュメモリ２１５には、上記の画像処理部２１４によって画像処理が施された処理済画像データが格納され、モバイルプリンタ２００において、上述の再プリントスイッチ２０２が押された時には、このフラッシュメモリ２１５から上記の処理済画像データが読み出されて再プリントが実行される。
【００７０】
さらに、このフラッシュメモリ２１５には、上記の画質再現情報が格納される。そして、モバイルプリンタ２００で今回プリントされた画像について、画質再現情報の送信を指示する指示信号が携帯電話１００から送られてきた場合には、その画質再現情報がフラッシュメモリ２１５から読み出されて送信される。
【００７１】
モバイルプリンタ２００のプリント部２１６は、上記の処理済画像データが表わす画像をインスタントフィルムシート上にプリントしながら、そのインスタントフィルムシートをモバイルプリンタ２００の外部へ排出する。
【００７２】
次に、サーバ３００の内部構成について説明する。
【００７３】
図６に示すサーバ３００は、図示しない通信網に接続されており、上記の携帯電話１００からは、この通信網を介してアクセスできるようになっている。このサーバ３００は、コントローラ３０１と、受信部３０２と、記憶部３０３とを備えている。
【００７４】
本実施形態では、モバイルプリンタ２００でプリントされる画像のうち、ユーザが保管を所望した画像（以降、「お気に入り画像」と呼ぶ）については、後述するように、上記の画質再現情報と、携帯電話１００が所有している、画像処理が施される前の未処理画像を表わす画像データとが互いに対応付けられてなる画像再現データが、携帯電話１００において作成される。サーバ３００にはこの画像再現データが保管される。
【００７５】
サーバ３００のコントローラ３０１では、以下に説明する各要素の動作制御が実行される。
【００７６】
サーバ３００の受信部３０２では、上記の携帯電話１００から送られてくる、上記の画像再現データが受信される。
【００７７】
サーバ３００の記憶部３０３には、受信部３０２で受信された画像再現データが格納される。
【００７８】
次に、携帯電話１００の内部構成について説明する。
【００７９】
携帯電話１００は、コントローラ１３０と、記憶部１３１と、通話部１３２と、送受信部１３３と、撮影部１３４と、赤外線通信部１３５と、操作入力部１３６と、画像選択部１３７と、処理内容取得部１３８と、画像記録部１３９と、媒体アクセス部１４０と、表示部１４１と、図１および図２にも示したアンテナ１１３とを備えている。
【００８０】
ここで、撮影部１３４、赤外線通信部１３５、処理内容取得部１３８、画像記録部１３９、および媒体アクセス部１４０は、それぞれ本発明の画像送信装置における撮影部、送信部、処理内容取得部、画像記録部、および媒体アクセス部の各一例に相当し、操作入力部１３６と画像選択部１３７とを合せたものは、本発明の画像送信装置における画像選択部の一例に相当する。
【００８１】
記憶部１３１には、携帯電話１００全体の動作制御を担う制御プログラムが格納されており、携帯電話１００に電源が供給されるとコントローラ１３０が記憶部１３１からこの制御プログラムを読み出して動作制御を実行する。
【００８２】
この制御プログラムは、携帯電話１００を本発明の画像送信装置の第１実施形態として動作させる、本発明の画像送信プログラムの第１実施形態に相当する。
【００８３】
以下では、携帯電話１００の各要素についての説明の前に、この制御プログラムについて別図を用いて説明する。
【００８４】
図７は、本発明の制御プログラムの第１実施形態が記憶された、図６にも示す記憶部を示す概念図である。
【００８５】
制御プログラム４００は、通話部４１０と、送受信部４１５と、撮影部４２０と、赤外線通信部４２５と、操作入力部４３０と、画像選択部４３５と、処理内容取得部４４０と、画像記録部４４５と、媒体アクセス部４５０と、表示部４５５とで構成されている。ここで、撮影部４２０、赤外線通信部４２５、処理内容取得部４４０、および画像記録部４４５は、携帯電話１００のハードウェアやＯＳと機能的に組み合わさることで、それぞれ本発明にいう撮影部、送信部、処理内容取得部、および画像記録部の各一例を構築し、また、操作入力部４３０と画像選択部４３５とを合せたものは、本発明にいう画像選択部の一例を構築する。この制御プログラム４００の各部の詳細については、図６に示す本発明の画像送信装置の第１実施形態である携帯電話１００の各要素の作用と一緒に説明する。
【００８６】
ここで、再び図６に戻って、携帯電話１００の各要素について説明する。
【００８７】
携帯電話１００のコントローラ１３０は、前述の制御プログラム４００に従って以下の各要素の動作を制御する。
【００８８】
携帯電話１００の記憶部１３１には、前述の制御プログラム４００が格納されている。
【００８９】
携帯電話１００の通話部１３２は、送受信部１３３およびアンテナ１１３とともに、この携帯電話１００における電話機能を担っており、音声再生口１１２と音声入力口１２２とを有している。この通話部１３２では、アンテナ１１３と送受信部１３３とを介して受信された音声信号が音声に変換され、その音声が音声再生口１１２から出力される。また通話部１３２では、音声入力口１２２から入力された音声が音声信号に変換され、その音声信号が送受信部１３３およびアンテナ１１３を介して電波として送信される。
【００９０】
携帯電話１００の撮影部１３４は、図２にも示したカメラ用撮影レンズ１１４と、このカメラ用撮影レンズ１１４を介して入射してくる被写体光を捉えて画像信号に変換する撮像素子１３４ａとを有しており、この撮像素子１３４ａで得られた画像信号に基づいて、被写体の画像を表わす画像データが生成される。この画像データは、後述するように媒体アクセス部１４０によって記録媒体１４０ａに記録される。
【００９１】
携帯電話１００の赤外線通信部１３５は赤外線送受部１１５を有しており、この赤外線通信部１３５では、撮影部１３４で生成された画像データや、モバイルプリンタ２００に対する各種の指示信号が赤外線として送信される。また、この赤外線通信部１３５では、この指示信号に応じて送信されてくる情報の受信も実行される。
【００９２】
携帯電話１００の操作入力部１３６は操作キー１２１を有しており、例えば画像データの送信指示等といったユーザからの各種の操作が操作キー１２１を介して受け付けられる。
【００９３】
携帯電話１００の画像選択部１３７では、モバイルプリンタ２００に送信されてプリントされた画像を上記の「お気に入り画像」として選択するか否かがユーザの操作に応じて決定される。
【００９４】
携帯電話１００の処理内容取得部１３８では、モバイルプリンタ２００で画像がプリントされたとき、その画像が画像選択部１３７で「お気に入り画像」として選択された場合に、まず、その画像に対応する上記の画質再現情報の送信を指示する指示信号が赤外線通信部１３５を介してモバイルプリンタ２００に送信される。そして、その指示信号に応じてモバイルプリンタ２００から送信されてきた画質再現情報が赤外線通信部１３５を介して取得される。
【００９５】
携帯電話１００の画像記録部１３９では、「お気に入り画像」として選択された画像について、プリントされた画像を画質も含めて再現する画像再現データが、処理内容取得部１３８で取得された画質再現情報と、未処理画像を表わす画像データとが互いに対応付けられて作成される。そして、この画像再現データは、画像記録部１３９の指示により、送受信部１３３およびアンテナ１１３を介してサーバ３００に送信される。また、この画像再現データは、画像記録部１３９の指示により、媒体アクセス部１４０によって記録媒体１４０ａにも記録される。
【００９６】
携帯電話１００の媒体アクセス部１４０では、上記の撮影部１３４で得られた画像データや上記の画像再現データが、携帯電話１００に着脱自在に装填されている記録媒体１４０ａに記録される。
【００９７】
携帯電話１００の表示部１４１は表示画面１１１を有しており、撮影部１３４によって取得された画像データが表わす画像や、ユーザによる操作入力部１３６に対する操作時における各種メニューや、操作用のアイコン等が表示される。
【００９８】
以上で、第１の画像処理システム１０００の内部構成についての説明を終了し、次に、上記の画像再現データをサーバ３００に保管する選択／保管処理について説明する。また、以下の説明では、図１〜図７に示す要素について、特に図番を断らずに図中の符号を使って適宜に参照する。
【００９９】
図８は、図７に示す第１の画像処理システムで実行される選択／保管処理を示す図である。
【０１００】
この図８に示す選択／保管処理は、ユーザが携帯電話１００の操作キー１２１を操作して、モバイルプリンタ２００で画像をプリントさせたい旨をこの携帯電話１００に伝えるとスタートする。
【０１０１】
この選択／保管処理がスタートすると、まず、モバイルプリンタ２００でプリントさせたい画像の選択をユーザに促すメッセージが携帯電話１００の表示画面１１１に示され、そのメッセージに従った画像の選択が行なわれる（ステップＳ１０１）。
【０１０２】
続いて、その選択された画像にモバイルプリンタ２００で施す画像処理を所定の画像処理メニューの中から選択するようにユーザに促すメッセージと、その画像処理メニューが表示画面１１１に示され、そのメッセージに従った画像処理の選択が行なわれる（ステップＳ１０２）。また、このステップＳ１０２の処理では、例えば所望の画像処理をどれぐらいの強度で画像に施すか等といった、画像処理の処理内容を所望の内容に調整するための調整メニューも示され、その調整メニューの中から所望の処理内容がユーザによって選択される。
【０１０３】
図９は、表示画面に表示される画像処理メニューの一例を示す図であり、図１０は、表示画面に表示される調整メニューの一例を示す図である。
【０１０４】
図９には、観賞時の視覚的な効果を狙って画像を意図的にぼやけさせるソフトフォーカス１１１ａ、観賞時の視覚的な効果を狙って画像の縦横比を変更するスリム化１１１ｂ、および観賞時の視覚的な効果を狙って全画像中のプリントする画像領域を指定するトリミング１１１ｃといった３種類の画像処理からなる画像処理メニューが示されている。本実施形態では、ユーザは、操作キー１２１を操作して、各画像処理に付された番号１１１ｄから所望の画像処理に付された番号を選択することによって所望の画像処理を選択する。
【０１０５】
図１０には、上記の調整メニューの一例として、画像をどの程度ぼやかすかというソフトフォーカスの強度を調整するパラメータの入力を促すパラメータ入力画面が示されている。図１０の例では、５段階の強度の中から所望の強度をユーザに選ばせるようになっている。ユーザは、各段階を表わす番号１１１ｅの中から、操作キー１２１を操作することによって所望の強度を表わす番号を選択する。本実施形態では、他の２種類の画像処理（スリム化，トリミング）についても、上記のソフトフォーカスと同様に、処理の程度を示す番号を選択するようになっている。
【０１０６】
また、本実施形態では、ユーザは上記の画像処理メニューの中から所望の画像処理を複数選択することもできるし、あるいは全く選択せずに済ますこともできる。ユーザが画像処理を複数選択した場合には、各画像処理について上記の調整メニューが表示されて、処理の程度が決定される。また、ユーザが画像処理を選択しなかった場合には、モバイルプリンタ２００では、前述したＡＥ補正処理、ＡＷＢ補正処理、およびシャープネス処理といった画像最適化処理のみが画像に施される。
【０１０７】
再び、図８に戻って説明を続ける。
【０１０８】
以上に説明したステップＳ１０２の処理によって、画像に施す画像処理と、その処理の程度が決まると、携帯電話１００の赤外線送受部１１５をモバイルプリンタ２００の赤外線送受部２０４に向けて、画像データの送信を指示するキー操作を行なうようにユーザに促すメッセージが携帯電話１００の表示画面１１１に示される。そして、そのメッセージに従った操作がユーザによってなされると、まず、ステップＳ１０１の処理によって選択された画像を表わす画像データが携帯電話１００からモバイルプリンタ２００へ向けて赤外線通信によって送信され（ステップＳ１０３）、続いて、その画像データが表わす画像にステップＳ１０２の処理によって決まった処理を含む画像処理を施して、処理済の画像をプリントするように指示する指示信号が赤外線通信によって送信される（ステップＳ１０４）。この指示信号を受信したモバイルプリンタ２００では、上記の画像データが表わす画像に画像処理が施され、処理済みの画像がインスタントフィルム２０５ａ上にプリントされる（ステップＳ１０５）。
【０１０９】
図１１は、モバイルプリンタで実行される画像処理の一例を示す、処理ブロック図である。
【０１１０】
この図１１には、ユーザから所望の画像処理として、図９に示す３種類の処理全てが指定されていた場合にモバイルプリンタ２００で実行される画像処理が示されている。
【０１１１】
この画像処理では、まず、未処理の画像データに対して、トリミングおよびスリム化という２種類の処理が施され、さらにモバイルプリンタ２００にセットされているインスタントフィルムのサイズに応じた、画像の拡大／縮小処理が実行される（ステップＳ２０１）。
【０１１２】
次に、このステップＳ２０１の処理を経た画像データについて、その画像データが表わす画像が解析され、その画像の輝度、ホワイトバランス、および鮮鋭度が求められる（ステップＳ２０２）。
【０１１３】
そして、このステップＳ２０２の処理によって求められた解析結果と、モバイルプリンタ２００内のＩＣタグ読取り部２０８で読み取られた、画像がプリントされるインスタントフィルム２０５ａの種類、サイズ、および製造ロット等といった情報と、モバイルプリンタ２００内の環境センサ２０９で検出された検出結果とを用いた前述の画像最適化処理が、上記のステップＳ２０１の処理を経た画像データに施される（ステップＳ２０３）。さらに、この画像最適化処理（ステップＳ２０３）を経た画像データにソフトフォーカスが施される（ステップＳ２０４）。そして、このステップＳ２０４の処理を経た処理済みの画像データに基づいて、その画像データが表わす画像がプリントされる。
【０１１４】
再び、図８に戻って説明を続ける。
【０１１５】
ここで、携帯電話１００では、ステップＳ１０４の処理によってプリントを指示する指示信号が送信されてから所定時間後に、表示画面１１１に、今回プリントされた画像を「お気に入り画像」として選択するか否かをユーザに問うメッセージが表示され、そのメッセージに従った入力操作がユーザによって実行される（ステップＳ１０６）。ここで、このステップＳ１０６の処理では、今回プリントされた画像を「お気に入り画像」として選択する場合には、選択する旨を伝える操作を、携帯電話１００の赤外線送受部１１５をモバイルプリンタ２００の赤外線送受部２０４に向けて行なうようにユーザに指示するメッセージも表示画面１１１に表示される。
【０１１６】
このステップＳ１０６の処理において、ユーザが、今回プリントされた画像を「お気に入り画像」として選択しない旨を伝えた場合には、この図８に示す処理は終了する。一方、今回プリントされた画像を「お気に入り画像」として選択する旨を伝えた場合には、次の処理（ステップＳ１０７）に進む。
【０１１７】
ステップＳ１０７の処理では、「お気に入り画像」として選択された、今回プリントされた画像に対応する、上記の画質再現情報を携帯電話１００に送信するように指示する指示信号が、携帯電話１００からモバイルプリンタ２００に向けて送信される。そして、その信号を受けてモバイルプリンタ２００から携帯電話１００に向けて、画質再現情報が送信される（ステップＳ１０８）。
【０１１８】
この画質再現情報を受け取った携帯電話１００では、上記の画質再現情報と、「お気に入り画像」に選択された画像に対応する未処理画像を表わす画像データとが互いに対応付けられて画像再現データが作成されてサーバ３００に送信される（ステップＳ１０９）。そして、サーバ３００では、この画像再現データが保管される（ステップＳ１１０）。
【０１１９】
そして、後日に、このように保管された画像再現データが表わす画像を再プリントする際には、画像再現データを構成する未処理画像を表わす画像データに、その画像再現データを構成する画質再現情報を用いた画像処理を施すことにより、画像を画質も含めて再現することができる。
【０１２０】
また、上記のステップＳ１０８で実行される画質再現情報の送信に要する時間は、例えば「お気に入り画像」に選択された画像を直接に表わす、上記の画像処理が施された処理済みの画像データをそのまま携帯電話１００に向けて送信することに比べるとはるかに短時間である。
【０１２１】
以上、説明したように本実施形態によれば、画像を画質も含めて再現する画像再現データを処理に要する時間を抑えて保管できる。
【０１２２】
ここで、以上の説明では、本発明の画像処理システムの第１実施形態である第１の画像処理システム１０００を構成する、本発明の画像送信装置の第１実施形態である携帯電話１００には、モバイルプリンタ２００でプリントされた画像をユーザが気に入ったときに、ユーザからの操作を受けてその画像を「お気に入り画像」に選択する画像選択部１３７が備えられている。しかしながら、本発明の画像処理システムの形態はこの形態に限るものではなく、携帯電話１００が備えている画像選択部１３７と機能的に同等な要素を、モバイルプリンタの方に設けるという、以下に説明する形態であっても良い。
【０１２３】
以下では、本発明の画像処理システムの第２実施形態である、上記の形態の第２の画像処理システムについて説明する。ここで、この第２の画像処理システムは、「お気に入り画像」の選択機能を有する装置が、携帯電話ではなくモバイルプリンタであるという相違点を除いて、前述した第１の画像処理システムと同等なシステムである。以下では、重複説明を省略して上記の相違点について説明する。
【０１２４】
図１２は、第２の画像処理システムを示す斜視図である。
【０１２５】
この図１２には、携帯電話５００と、この携帯電話５００から送信されてきた画像データに基づいて画像をプリントする、本発明の画像処理装置の一実施形態であるモバイルプリンタ６００とからなる第２の画像処理システム２０００が示されている。ここで、携帯電話５００は、本発明の画像処理システムにおける画像送信装置の一例に相当し、画像送信装置の一例に相当し、第２の画像処理システム２０００は、本発明にいう「画像選択部が、画像処理装置に備えられた」画像処理システムの一例に相当する。ここで、図１２では、図３に示す第１の画像処理システム１０００と同等な要素については図３と同じ符号が付されている。
【０１２６】
この図１２に示す第２の画像処理システム２０００は、図３に示す第１の画像処理システム１０００と外観的にほぼ同等であるが、モバイルプリンタ６００の筐体２００ａの上面に、プリントされた画像を「お気に入り画像」として選択するための画像選択スイッチ６０１が設けられている点が第１の画像処理システム１０００と異なる。
【０１２７】
次に、この第２の画像処理システム２０００の構成について説明する。また、以下の説明では、図１２に示す要素を、図番を特に断らずに図中の符号を使って適宜に参照する。
【０１２８】
図１３は、図１２に示す第２の画像処理システムを、「お気に入り画像」として選択された画像を画質も含めて再現するための画像再現データが保管されるサーバの簡易的な構成とともに示すブロック図である。ここで、図１３では、図６に示すブロック図と同等な要素については図６と同じ符号が付されている。
【０１２９】
この図１２に示す第２の画像処理システム２０００は、以下の点が図６に示す第１の画像処理システム１０００と異なる。即ち、この第２の画像処理システム２０００では、携帯電話５００は、第１の画像処理システム１０００を構成する携帯電話１００が備えている画像選択部１３７を備えておらず、モバイルプリンタ６００が、画像選択部６１１を備えている。また、このモバイルプリンタ６００は、この画像選択部６１１の他に記録指示部６１２を備えている。
【０１３０】
ここで、図６を参照して詳細を説明した赤外線通信部２１２およびプリント部２１６は、それぞれ本発明の画像処理装置における受信部およびプリント部の一例に相当し、画像分析部２１３と画像処理部２１４とを合せたものは、本発明の画像処理装置における処理内容決定部と画像処理部とを兼ねた一例に相当する。また、画像選択部６１１は本発明の画像処理装置における画像選択部の一例に相当し、記録指示部６１２と赤外線通信部２１２とを合せたものは、本発明の画像処理装置における記録指示部の一例に相当する。
【０１３１】
モバイルプリンタ６００の画像選択部６１１では、モバイルプリンタ６００でプリントされた画像が、図１２に示す画像選択スイッチに対するユーザの操作に応じて「お気に入り画像」として選択される。
【０１３２】
また、モバイルプリンタ６００の記録指示部６１２の指示により、画像選択部６１１によって「お気に入り画像」として選択された画像について、その画像に画像処理部２１４によって施された画像処理で用いられた各種情報からなる上記の画質再現情報が、赤外線通信部２１２から携帯電話５００に送信される。さらに、その画質再現情報と、「お気に入り画像」に対応した未処理画像を表わす画像データとが互いに対応付けられた、その「お気に入り画像」を画質も含めて再現する画像再現データをサーバ３００に記録するように指示する指示信号も、この記録指示部６１２の指示により赤外線通信部２１２から携帯電話５００に送信される。
【０１３３】
次に、第２の画像処理システム２０００で実行される、上記の画像再現データをサーバ３００に保管する選択／保管処理について説明する。また、以下の説明では、図１２〜図１３に示す要素について、特に図番を断らずに図中の符号を使って適宜に参照する。
【０１３４】
図１４は、第２の画像処理システムで実行される選択／保管処理を示す図である。ここで、図１４では、図８に示す選択／保管処理と同等な処理については図８と同じ符号が付されている。
【０１３５】
この図１４に示す選択／保管処理は、ユーザからの操作を受けて、プリントされた画像を「お気に入り画像」として選択する選択処理が、モバイルプリンタ２００で実行され点が、図８に示す選択／保管処理と異なる。即ち、図１４に示す選択／保管処理では、モバイルプリンタ２００において画像処理とプリント（ステップＳ１０５）が終了した後、モバイルプリンタ６００のＬＣＤパネル２０３に、今回プリントされた画像を「お気に入り画像」として選択するか否かをユーザに問うメッセージが表示され、そのメッセージに従った入力操作がユーザによって実行される（ステップＳ３０１）。ここで、このステップＳ３０１の処理では、今回プリントされた画像を「お気に入り画像」として選択する場合には、選択する旨を伝える操作を、携帯電話５００の赤外線送受部１１５をモバイルプリンタ６００の赤外線送受部２０４に向けて行なうようにユーザに指示するメッセージがＬＣＤパネル２０３に表示される。そして、ステップＳ３０１の処理において、今回プリントされた画像が「お気に入り画像」として選択された場合には、ステップＳ１０５の処理で用いられた各種情報からなる画質再現情報が、モバイルプリンタ６００から携帯電話５００に向けて送信される（ステップＳ３０２）。さらに、その画質再現情報と、「お気に入り画像」に対応した未処理画像を表わす画像データとが互いに対応付けられた、その「お気に入り画像」を画質も含めて再現する画像再現データをサーバ３００に記録するように指示する指示信号が携帯電話５００に送信される（ステップＳ３０３）。
【０１３６】
そして、上記の画質再現情報と指示信号とを受信した携帯電話５００は、上記の画像再現データを作成してサーバ３００に送信する。そして、サーバ３００では、この画像再現データが記録される。後日に、上記の「お気に入り画像」を再プリントする際には、上記の画像再現データが利用されて、その「お気に入り画像」が画質も含めて再現される。
【０１３７】
また、上記のステップＳ３０２で実行される画像再現情報の送信に要する時間は、例えばプリントされた画像を直接に表わす、上記の画像処理が施された処理済みの画像データをそのまま携帯電話１００に向けて送信することに比べるとはるかに短時間である。
【０１３８】
以上、説明したように第２実施形態によっても、「お気に入り画像」を画質も含めて再現する画像再現データを、処理に要する時間を抑えて保管することができる。
【０１３９】
ここまで説明した第１および第２実施形態の画像処理システム１０００，２０００では、上記の画質再現情報が、画像を画質も含めて再現する画像再現データという形式で保管される。しかしながら、本発明の画像処理システムの形態はこの形態に限るものではなく、上記の画質再現情報を、携帯電話内に装填された記録媒体における画像データのリストを含む後述のＡＳＳＥＴ  ＭＡＮＩＦＥＳＴファイルに追記するという方法で保管するという、以下に説明する形態であっても良い。
【０１４０】
以下では、本発明の画像処理システムの第３実施形態である、上記の形態の第３の画像処理システムについて説明する。ここで、この第３の画像処理システムは、画質再現情報をＡＳＳＥＴ  ＭＡＮＩＦＥＳＴファイルに追記するという相違点を除いて、前述した第１の画像処理システムと同等なシステムである。以下では、重複説明を省略して上記の相違点について説明する。
【０１４１】
図１５は、第３の画像処理システムを示す斜視図である。
【０１４２】
この図１５に示す第３の画像処理システム３０００は、図３に示す第１の画像処理システム１０００における携帯電話１００とは異なる、本発明の画像送信装置の第２実施形態である携帯電話７００を有している。
【０１４３】
図１６は、図１５に示す第３の画像処理システムを示すブロック図である。ここで、この図１６では、図６に示すブロック図と同等な要素については図６と同じ符号が付されており、これらの要素についての重複説明を省略する。この図１６の第３の画像処理システム３０００では、携帯電話７００が、図６の第３の画像処理システム３０００の携帯電話１００が備える画像記録部１３９とは異なる画像記録部７０１を備えている。この画像記録部７０１は、本発明の画像送信装置における画像記録部の一例に相当する。
【０１４４】
以下、この画像記録部７０１に注目して説明するが、その前に、記憶部１３１に記憶され、この携帯電話７００を本発明の画像送信装置の第２実施形態として動作させる、本発明の画像送信プログラムの第２実施形態について説明する。
【０１４５】
図１７は、本発明の制御プログラムの第２実施形態が記憶された、図１６にも示す記憶部を示す概念図である。尚、この図１７では、図７の制御プログラム４００の要素と同等な要素については図７と同じ符号が付されており重複説明を省略する。
【０１４６】
図１７に示す、本発明の制御プログラムの第２実施形態である、制御プログラム８００は、図７の制御プログラム４００が備える画像記録部４４５とは異なる画像記録部８０１を備えており、この画像記録部８０１が、携帯電話７００のハードウェアやＯＳと機能的に組み合わさって図１６の画像記録部７０１を構築する。
【０１４７】
次に、図１６の画像記録部７０１の作用について説明する。
【０１４８】
第３の画像処理システム３０００では、画像記録部７０１は、撮影で画像データが得られると、媒体アクセス部１４０を使って、その画像データを記録媒体１４０ａに格納する。ここで、この第３の画像処理システム３０００では、記録媒体１４０ａが、本発明にいう記録場所の一例に相当する。
【０１４９】
また、画像記録部７０１は、媒体アクセス部１４０によって記録媒体１４０ａに新たに画像データが記録される際には、記録媒体１４０ａ内の各画像データのリストを少なくとも含む、各画像データとは別ファイルのＡＳＳＥＴ  ＭＡＮＩＦＥＳＴファイルに、その新たに記録される画像データについての記載を追加する。このＡＳＳＥＴ  ＭＡＮＩＦＥＳＴファイルが、本発明にいう「１つの共通ファイル」の一例に相当する。そして、ある画像データについて画質再現情報が取得されると、画像記録部７０１は、ＡＳＳＥＴ  ＭＡＮＩＦＥＳＴファイル中の、その画像データについての記載部分の近傍にその画質再現情報を追記する。
【０１５０】
図１８は、図１６に示す第３の画像処理システムで実行される選択／保管処理を示す図である。ここで、図１８では、図８に示す選択／保管処理と同等な処理については図８と同じ符号が付されている。
【０１５１】
図１８に示す選択／保管処理では、ステップＳ１０８の処理で画質再現情報が赤外線通信部１３５を介してモバイルプリンタ２００から送られて来た後の処理（ステップＳ４０１）が、図８とは異なる。
【０１５２】
このステップＳ４０１の処理では、上記のＡＳＳＥＴ  ＭＡＮＩＦＥＳＴファイルへの、以下に説明する画質再現情報の追記処理が実行される。
【０１５３】
まず、画像データとＡＳＳＥＴ  ＭＡＮＩＦＥＳＴファイルとが保管される記録媒体のデータ構造について説明する。
【０１５４】
図１９は、選択／保管処理で画像データや画質再現情報が保管される記録媒体のデータ構造の一例を示す図である。
【０１５５】
この図１９の例では、「１００ＡＢＣＤ」という名称の画像ディレクトリ１３１ａに画像データＤ１と、ＡＳＳＥＴ  ＭＡＮＩＦＥＳＴファイルＤ２が格納される。また、このＡＳＳＥＴ  ＭＡＮＩＦＥＳＴファイルＤ２は、画像ディレクトリ１３１ａに１つ格納されており、この画像ディレクトリ１３１ａに新たに画像データが格納される度に、その画像データについての記載がＡＳＳＥＴ  ＭＡＮＩＦＥＳＴファイルＤ２に追加されていく。そして、画像ディレクトリ１３１ａ中のある画像データについて画質再現情報が取得されると、その画質再現情報が、ＡＳＳＥＴ  ＭＡＮＩＦＥＳＴファイルＤ２において、その画像データについての識別情報が記述されている部分に追記される。
【０１５６】
図２０は、ＡＳＳＥＴ  ＭＡＮＩＦＥＳＴファイルの一例を示す図である。
【０１５７】
なお、この図２０には、ＡＳＳＥＴ  ＭＡＮＩＦＥＳＴファイル中で、「ＤＳＣ０００１．ＪＰＧ」という名称の画像データについて記載された部分が代表的に抜粋されて示されている。実際には、このＡＳＳＥＴ  ＭＡＮＩＦＥＳＴファイルには、図１９の画像ディレクトリ１３１ａ中に格納されている画像データ全てについて記載される。
【０１５８】
この図２０に示すように、ＡＳＳＥＴ  ＭＡＮＩＦＥＳＴファイルＤ２には、画像ディレクトリ１３１ａに格納されている各画像データについて、画像データの名称が記述されたデータ名称部分Ｄ２＿１と、その画像データが表わす画像のサイズやその画像データが色を定義している色空間についての情報等からなる特性情報が記述された特性情報部分Ｄ２＿２とを有している。そして、画像ディレクトリ１３１ａ中のある画像データについて画質再現情報が取得されると、その画像データについての画質再現情報が、その画像データが表わす画像が「お気に入り画像」に指定されていることを示す情報と共に特性情報部分Ｄ２＿２の後に追記されて、その画像データについての画質再現情報が記述された画質再現情報部分Ｄ２＿３が形成される。また、画像ディレクトリ１３１ａ中の複数の画像データそれぞれについて画質再現情報が取得された場合には、ＡＳＳＥＴ  ＭＡＮＩＦＥＳＴファイルＤ２には、各画像再現情報に対応する各特性情報部分Ｄ２＿２の後にその画像再現情報が追記されることとなる。
【０１５９】
以上、図１５〜図２０を参照して説明したように上記の第３の画像処理システム３０００では、「お気に入り画像」を画質も含めて再現できる情報が、その「お気に入り画像」を表わす画像データと、画質を表わす画質再現情報が追記されたＡＳＳＥＴ  ＭＡＮＩＦＥＳＴファイルという２種類のファイルとして、携帯電話７００に装填された記録媒体１４０ａに格納される。
【０１６０】
ここで、ある画像データについて画質再現情報が取得された場合には、上述の第１および第２実施形態では、およそ数メガバイトという大きなデータサイズを有する画像データに画質再現情報が対応付けられて、画像を画質も含めて再現する画像再現データが作成され、画質再現情報は、この画像再現データという形式で保管される。従って、大きなデータの保管処理が必要である。一方、この第３実施形態では、画像再現情報は、一般的にデータサイズが小さいＡＳＳＥＴ  ＭＡＮＩＦＥＳＴファイルに追記されて、画質再現情報は、このＡＳＳＥＴ  ＭＡＮＩＦＥＳＴファイルという形式で保管される。このため、この第３実施形態によれば、保管処理における処理時間や消費電力が抑えられる。また、図１５〜図２０を参照して説明した第３の画像処理システム３０００では、画像データと画質再現情報の保管場所を、携帯電話７００に装填された記録媒体１４０ａとしたが、この保管場所は、上述の第１および第２実施形態と同様に所定のサーバであっても良い。
【０１６１】
このように、第３実施形態によっても、「お気に入り画像」を画質も含めて再現する情報を、上述した第１および第２実施形態よりも保管処理における処理時間や消費電力を抑えて保管することができる。
【０１６２】
尚、上記では、本発明にいう画像処理システムの一例として、画像送信装置あるいは画像処理装置に画像選択部が備えられた例を挙げて説明したが、本発明にいう画像処理システムはこれに限るものではなく、例えば、これらの画像送信装置および画像処理装置からは独立した、ユーザからの操作に応じて画像を選択する画像選択装置を備えた画像処理システム等であっても良く、また、例えば、画像送信装置と画像処理装置との両方に画像選択部が備えられた画像処理システム等であっても良い。
【０１６３】
また、上記では、本発明にいう画像送信装置の一例として、撮影機能を備えた携帯電話を挙げて説明したが、本発明にいう画像送信装置これに限るものではなく、例えば、通信機能を備えたデジタルカメラや、撮影機能を備えたモバイルコンピュータ等であっても良い。
【０１６４】
また、上記では、本発明にいう画像送信装置の一例である携帯電話で実行が指示できる画像処理の一例として、ソフトフォーカス、スリム化、およびトリミングといった３種類の画像処理を挙げて説明したが、上記の画像処理はこれらに限るものではなく、例えば、人物の顔にあるシワやシミ等を、それらシワやシミ等の周辺の画像を用いて除去する画像処理や、人物の頭髪の色を所望の色に変更する画像処理等であっても良い。
【０１６５】
また、上記では、本発明にいう画像選択部の一例として、画像が１つプリントされる毎に、プリントされた画像を「お気に入り画像」として選択するか否か選択する画像選択部を挙げたが、本発明にいう画像選択部はこれに限るものではなく、例えば、画像が複数プリントされた後に、それらの画像の中から「お気に入り画像」を選択するもの等であっても良い。
【図面の簡単な説明】
【０１６６】
【図１】本発明の画像送信装置の第１実施形態である携帯電話の表面を示す斜視図である。
【図２】本発明の画像送信装置の第１実施形態である携帯電話の裏面を示す斜視図である。
【図３】第１の画像処理システムを示す斜視図である。
【図４】モバイルプリンタから、インスタントフィルム上に画像がプリントされながら、そのインスタントフィルムが排出される様子を示す図である。
【図５】モバイルプリンタに、複数のインスタントフィルムが収納されたインスタントフィルムパックが装填される様子を示す図である。
【図６】図３および図４に示す第１の画像処理システムを、画像を画質も含めて再現する画像再現データが保管されるサーバの簡易的な構成とともに示すブロック図である。
【図７】本発明の制御プログラムの第１実施形態が記憶された、図６にも示す記憶部を示す概念図である。
【図８】図７に示す、第１の画像処理システムで実行される選択／保管処理を示す図である。
【図９】表示画面に表示される画像処理メニューの一例を示す図である。
【図１０】表示画面に表示される調整メニューの一例を示す図である。
【図１１】モバイルプリンタで実行される画像処理の一例を示す、処理ブロック図である。
【図１２】第２の画像処理システムを示す斜視図である。
【図１３】図１２に示す第２の画像処理システムを、「お気に入り画像」として選択された画像を画質も含めて再現するための画像再現データが保管されるサーバの簡易的な構成とともに示すブロック図である。
【図１４】第２の画像処理システムで実行される選択／保管処理を示す図である。
【図１５】第３の画像処理システムを示す斜視図である。
【図１６】図１５に示す第３の画像処理システムを示すブロック図である。
【図１７】本発明の制御プログラムの第２実施形態が記憶された、図１６にも示す記憶部を示す概念図である。
【図１８】図１６に示す第３の画像処理システムで実行される選択／保管処理を示す図である。
【図１９】選択／保管処理で画像データや画質再現情報が保管される記録媒体のデータ構造の一例を示す図である。
【図２０】ＡＳＳＥＴ  ＭＡＮＩＦＥＳＴファイルの一例を示す図である。
【符号の説明】
【０１６７】
１００    携帯電話
１１０    上部
１１１    表示画面
１１１ａ    ソフトフォーカス
１１１ｂ    スリム化
１１１ｃ    トリミング
１１１ｄ，１１１ｅ    番号
１１２    音声再生口
１１３    アンテナ１１３
１１４    カメラ用撮影レンズ
１１５    赤外線送受部
１２０    下部
１２１    操作キー
１２２    音声入力口
１３０    コントローラ
１３１    記憶部
１３１ａ    画像ディレクトリ
１３２    通話部
１３３    送受信部
１３４    撮影部
１３４ａ    撮像素子
１３５    赤外線通信部
１３６    操作入力部
１３７    画像選択部
１３８    処理内容取得部
１３９    画像記録部
１４０    媒体アクセス部
１４０ａ    記録媒体
１４１    表示部
２００    モバイルプリンタ
２００ａ    筐体
２０１    電源スイッチ
２０２    再プリントスイッチ
２０３    ＬＣＤパネル
２０４    赤外線送受部
２０５    インスタントフィルムパック
２０５ａ    インスタントフィルム
２０５ｂ    ＩＣタグ
２０６    フィルムドア
２０７    フィルム装填室
２０８    ＩＣタグ読取り部
２０９    環境センサ
２１１    コントローラ
２１２    赤外線通信部
２１３    画像分析部
２１４    画像処理部
２１５    フラッシュメモリ
２１６    プリント部
３００    サーバ
３０１    コントローラ
３０２    受信部
３０３    記憶部
４００    制御プログラム
４１０    通話部
４１５    送受信部
４２０    撮影部
４２５    赤外線通信部
４３０    操作入力部
４３５    画像選択部
４４０    処理内容取得部
４４５    画像記録部
４５０    媒体アクセス部
４５５    表示部
５００    携帯電話
６００    モバイルプリンタ
６０１    画像選択スイッチ
６１１    画像選択部
６１２    記録指示部
７００    携帯電話
７０１    画像記録部
８００    制御プログラム
８０１    画像記録部
１０００    第１画像処理システム
２０００    第２の画像処理システム
３０００    第３の画像処理システム
【図１】
2006014289.tif 000003
【図２】
2006014289.tif 000004
【図３】
2006014289.tif 000005
【図４】
2006014289.tif 000006
【図５】
2006014289.tif 000007
【図６】
2006014289.tif 000008
【図７】
2006014289.tif 000009
【図８】
2006014289.tif 000010
【図９】
2006014289.tif 000011
【図１０】
2006014289.tif 000012
【図１１】
2006014289.tif 000013
【図１２】
2006014289.tif 000014
【図１３】
2006014289.tif 000015
【図１４】
2006014289.tif 000016
【図１５】
2006014289.tif 000017
【図１６】
2006014289.tif 000018
【図１７】
2006014289.tif 000019
【図１８】
2006014289.tif 000020
【図１９】
2006014289.tif 000021
【図２０】
2006014289.tif 000022